(57)【要約】      （修正有）【課題】多項の特定使用機能を達成し、バックアップ電源特性を任意に拡充できる多機能拡充電源装置を提供する。【解決手段】統合性多機能拡充電源装置は、多機能コントロールモジュール１、及び単一或いは複数の電池ユニット３等により構成する拡充電源モジュールからなり、多機能コントロールモジュール１内には、無線伝送パーツ、有線伝送パーツ、データストレージディスク、無線周波数識別パーツ、ＳＤカードパーツ１２−Ｅ、ＵＳＢ連接ポート１２−Ｆ、ソーラーエネルギー充電パーツ及び無線充電パーツを備え、拡充電源モジュール内には、バッテリーを備える。また、多機能コントロールモジュール１と拡充電源モジュールとの特殊な組合せ方式により、多機能拡充電源装置は、多項の特定の使用機能を提供でき、及び個別の電池ユニットを任意に増やし、或いは減らし、拡充バックアップ電源の特性を達成する。【選択図】図４
0003181389.tif 000002
【実用新案登録請求の範囲】
【請求項１】
多機能拡充電源装置は、多機能コントロールモジュール、及び単一電池ユニットを任意に増やし、或いは減らすことができる拡充電源モジュールからなり、
上記した両者の特殊な組合せにより、多項の特定の使用機能を提供し、及びバックアップ給電特性を任意に増減して拡充でき、
該多機能コントロールモジュールは、ボックス体で、そのハウジング内には回路板を設置し、該回路板上には電源管理回路、昇降圧転換回路、充電コントロール回路及びデータ管理回路を内蔵し、
該回路板上には、さらにスイッチボタン、作動状態インジケーターユニット、電源インプットポート、電源アウトプットポート、円形電源インプットポート、円形電源アウトプットポート、ソーラーエネルギー集熱板及び第一連接ポートを設置し、
該回路板上には、さらに無線伝送パーツ、有線伝送パーツ、データストレージディスク、無線周波数識別パーツ、ＳＤカードパーツ、ＵＳＢ連接ポート、マイクロＵＳＢ連接ポート、ソーラーエネルギー充電パーツ及び無線充電パーツを設置し、
該拡充電源モジュールは、１個或いは１個上の単一電池ユニットを備え、  該各単一電池ユニットはボックス体で、そのハウジング上には収容設置スペースを設置し、該単一電池ユニット内には電池コントロールパネル、バッテリー、第二連接ポート及び第三連接ポートを備え、
該多機能コントロールモジュールと該拡充電源モジュールの単一電池ユニット或いは複数の単一電池ユニットを組合せることで、該多機能コントロールモジュールを、該単一電池ユニットのハウジングの収容設置スペース内にスライドさせて入れれば、該多機能コントロールモジュール背面の第一連接ポートと該単一電池ユニット上の第二連接ポートとは、電気的に連接し、及び該単一電池ユニット上の第三連接ポートと別の単一電池ユニットの第二連接ポートとは電気的に連接し、こうして該拡充電源モジュールは、個別の電池ユニットを任意に増やし、或いは減らすことで、拡充給電特性を達成し、
該多機能コントロールモジュール内に設置する無線伝送パーツ、有線伝送パーツ、データストレージディスク、無線周波数識別パーツ、ＳＤカードパーツ、ＵＳＢ連接ポート、マイクロＵＳＢ連接ポート、ソーラーエネルギー充電パーツ及び無線充電パーツＩと電源管理回路、昇降圧転換回路、充電コントロール回路及びデータ管理回路の作動により、無線伝送、有線伝送、データ保存、無線周波数識別、ＳＤカードアクセス、ＵＳＢプロトコル連接、ソーラーエネルギー充電、無線充電等特定の多項の機能を達成できることを特徴とする多機能拡充電源装置。
【請求項２】
前記回路板上のスイッチボタン、作動状態インジケーターユニット、電源インプットポート、電源アウトプットポート、円形電源インプットポート、円形電源アウトプットポート、ソーラーエネルギー集熱板、第一連接ポート、ＳＤカードパーツ及びＵＳＢ連接ポート、マイクロＵＳＢ連接ポートは、該多機能コントロールモジュールのハウジング外に露出し、これにより、使用者は、外部から連接、押し操作、或いは目視ができ、
しかも、該ソーラーエネルギー集熱板は、該ソーラーエネルギー充電パーツにより、該多機能コントロールモジュールのハウジング正面外表上に延伸設置され、
該第一連接ポートは、該多機能コントロールモジュールのハウジング底面上に延伸設置され、
該ハウジング背面上には、複数の定位孔を設置することを特徴とする請求項１に記載の多機能拡充電源装置。
【請求項３】
前記電源インプットポート及び該円形電源インプットポートは、該充電コントロール回路と連接し、
該充電コントロール回路の反対端は、該電源管理回路、該ソーラーエネルギー充電パーツ、該無線充電パーツと連接し、
該ソーラーエネルギー充電パーツの反対端は、該ソーラーエネルギー集熱板と連接し、
該電源管理回路の反対端は、該スイッチボタン、該作動状態インジケーターユニット、該第一連接ポート及び該昇降圧転換回路と電気的に連接することを特徴とする請求項１に記載の多機能拡充電源装置。
【請求項４】
前記昇降圧転換回路の反対端は、該データストレージディスク、該無線周波数識別パーツ、該ＳＤカードパーツ、該ＵＳＢ連接ポート、該マイクロＵＳＢ連接ポート及び該電源アウトプットポート、該円形電源アウトプットポートと電気的に連接し、
該データストレージディスク、該無線周波数識別パーツ、該ＳＤカードパーツ、該ＵＳＢ連接ポート、該マイクロＵＳＢ連接ポートの反対端は、  該データ管理回路と連接し、
該無線伝送パーツ及び該有線伝送パーツは、該データ管理回路と電気的に連接することを特徴とする請求項１に記載の多機能拡充電源装置。
【請求項５】
前記単一電池ユニットの電池コントロールパネルは、該バッテリー、該第二連接ポート、該第三連接ポートと電気的連接を呈し、
しかも、該第二連接ポートは、該ハウジングの収容設置スペースに設置し、該多機能コントロールモジュールの第一連接ポート位置に対応し、
該第三連接ポートは、該ハウジングの収容設置スペース背面上に設置し、該単一電池ユニットハウジングの収容設置スペース上には、該多機能コントロールモジュール背面定位孔と対応する定位ブロック及び係合フックを設置し、
同様に、該単一電池ユニット背面の、該定位ブロック及び該係合フックに対応する位置には、複数の定位孔を設置することを特徴とする請求項１に記載の多機能拡充電源装置。
【請求項６】
前記多機能コントロールモジュールの回路板上の、該データ管理回路と連接する無線伝送パーツ及び有線伝送パーツは、すべて除去、どちらかを単独で保留、或いは両方とも設置とできることを特徴とする請求項１に記載の多機能拡充電源装置。
【請求項７】
前記多機能コントロールモジュールの回路板上の、該昇降圧転換回路及び該データ管理回路と連接する無線周波数識別パーツ、ＳＤカードパーツ、ＵＳＢ連接ポート及びマイクロＵＳＢ連接ポートは、どれか１個を単独で設置し、或いは複数を選択して交互に設置できることを特徴とする請求項１に記載の多機能拡充電源装置。
【請求項８】
前記多機能コントロールモジュールの回路板上の、該充電コントロール回路と連接するソーラーエネルギー充電パーツ及び無線充電パーツは、すべて除去、どちらかを単独で保留、或いは両方とも設置とできることを特徴とする請求項１に記載の多機能拡充電源装置。
【請求項９】
前記多機能コントロールモジュールの回路板上の、該充電コントロール回路と連接する電源インプットポート及び円形電源インプットポートは、どちらか一方を単独で保留し、或いは両方を設置できることを特徴とする請求項１に記載の多機能拡充電源装置。
【請求項１０】
前記多機能コントロールモジュールの回路板上の、該昇降圧転換回路と連接する電源アウトプットポート及び円形電源アウトプットポートは、どちらか一方を単独で保留し、或いは両方を設置できることを特徴とする請求項１に記載の多機能拡充電源装置。
【考案の詳細な説明】
【技術分野】
【０００１】
本考案は多機能拡充電源装置に関し、特に多機能コントロールモジュールと拡充電源モジュールの特殊な組合せを利用し、多項の特定使用機能を達成し、バックアップ電源特性を任意に拡充できる多機能拡充電源装置に関する。
【背景技術】
【０００２】
携帯電話、デジカメ、音楽プレーヤーなどの多くのモバイルデジタルデバイスは、充、放電可能な電池を、使用時の給電源として利用している。
一般に、モバイルデジタルデバイスの電池に対して充電するには、配備する充電器を通して、市内交流電源を一定の電圧レベルに転換する必要がある。
そのため、市内交流電源を得ることができない環境は、充電が必要な使用者にとって非常に不便である。
【０００３】
上記した状況に対応し、随時携帯可能な充、放電装置「モバイル電源」が開発された。
これにより、使用者は、市内交流電源が得られない環境でも、予め充電したバックアップのモバイル電源により、モバイルデジタルデバイスに対して充電或いは給電を行うことができる。
【０００４】
従来のモバイル電源は、充電池及びコントロール回路により組成し、ハウジング内に封入し、さらに、総電池容量の大小に応じて、製品を区分する。
小容量のモバイル電源製品は、軽量でコンパクトという長所を備えるが、使用時間が短すぎるという欠点が存在する。
一方、大容量のモバイル電源製品は、体積が大きく、しかも重いという欠点があり携帯に不便で、しかも一般の充電電池には使用年限及び回数の制限があるため、モバイル電源の性能が落ち、或いは損壊時には、装置全体を廃棄するしかなく、非常に残念である。
【０００５】
上記したように、小容量のものであろうと、大容量のものであろうと、一般のモバイル電源製品は、拡充電量機能を備えていない。
さらに、一般のモバイル電源は、単純な一時的給電用の電源装置にしか過ぎず、無線伝送（Ｗｉ−ＦＩ）、有線伝送（ＲＪ−４５）、データ保存（StoragＥ）、無線周波数識別（ＲＦＩＤ）、ＳＤカードアクセス、ＵＳＢ連結、ソーラー充電或いは無線充電等機能を提供することはできない。
【０００６】
上記した従来のモバイル電源装置の欠点に鑑み、本考案人は特許文献１に示す「拡充式移動電源装置」を開発した。
しかし、本考案人はさらに機能増進の余地があると考え、さらに研究を続け、本考案「多機能拡充電源装置」を開発した。
本考案は、従来のモバイル電源装置の上記した欠点に鑑みてなされたものである。
【先行技術文献】
【特許文献】
【０００７】
【特許文献１】台湾発明特許第１００１４３６５４号公報
【特許文献２】実用新案登録第３１７６４５６号公報
【考案の概要】
【考案が解決しようとする課題】
【０００８】
本考案が解決しようとする課題は、多機能コントロールモジュールと拡充電源モジュールの特殊な組合せ方式を利用し、これにより多項の特定のデジタル情報使用機能を備え、しかも個別の電池ユニットを任意にプラスし、或いは減らすことで、拡充給電特性を達成することができる多機能拡充電源装置を提供することである。
【課題を解決するための手段】
【０００９】
上記課題を解決するため、本考案は下記の多機能拡充電源装置を提供する。
多機能拡充電源装置は、多機能コントロールモジュール内には、電源管理回路、昇降圧転換回路、充電コントロール回路及びデータ管理回路を備え、
該各種回路により、無線伝送、有線伝送、データ保存、無線周波数識別、ＳＤカードアクセス、ＵＳＢプロトコル連接、ソーラーエネルギー充電と無線充電等の特定機能を達成し、
該拡充電源モジュールは、１個或いは１個以上の単一電池ユニットを備え、
これにより、電池容量拡充の目的を達成し、これにより使用者はその使用状態に応じて、総電池容量を弾力的に増やし、或いは減らすことができ、
拡充電源モジュールの単一電池ユニット内には、電池コントロールパネル、バッテリー及び連接ポートを備え、
該多機能コントロールモジュールを、任意に増減させた単一或いは複数の電池ユニットの拡充電池モジュールと連結して通電すれば、該多機能コントロールモジュールの電源インプットポートは、該拡充電源モジュールの単一或いは連結した数個の電池ユニットにより、充電を行い、またバックアップ用に蓄電でき、
後に、該多機能コントロールモジュールの電源アウトプットポートにより、電力を出力して、電力を必要とするモバイルデジタルデバイスに供給でき、しかも該多機能コントロールモジュール上の無線伝送、有線伝送、データ保存、無線周波数識別、ソーラーエネルギー無線充電とＳＤカードアクセス等作業に対して、使用のために必要な給電を行うことができ、
該多機能コントロールモジュールは、１個或いは数個の電池ユニットに対して充電を提供でき、充電完成後は、使用者は簡単に組み立て、或いは分解でき、この時、使用する電池ユニットを、１個或いは数個として選択し、バックアップ用に携帯して外出でき、
電池には循環寿命の問題があるが、本考案の拡充電源モジュールでは、単一電池ユニットに損壊が発生しても、全体を廃棄する必要はなく、補充、或いは損壊した電池ユニットを交換するだけで良く、これによりコストを大幅に引き下げることができ、環境にやさしい使用を達成することができる。
【考案の効果】
【００１０】
本考案の多機能拡充電源装置は、多機能コントロールモジュールと拡充電源モジュールの特殊な組合せ方式を利用し、多項の特定のデジタル情報使用機能を備え、しかも個別の電池ユニットを任意にプラスし、或いは減らすことで、拡充給電特性を達成することができる。
【図面の簡単な説明】
【００１１】
【図１】本考案の多機能拡充電源装置の多機能コントロールモジュール主要構成部品の前視図である。
【図２】本考案の多機能拡充電源装置の単一電池ユニット主要構成部品の前視図である。
【図３】本考案の多機能拡充電源装置の回路板主要構成部品の作動ブロックチャートである。
【図４】本考案の多機能コントロールモジュールと単一電池ユニットを相互に組合せる様子の立体図である。
【図５】本考案の多機能コントロールモジュールと単一電池ユニットを相互に組合せる様子の側視図である。
【図６】本考案の多機能コントロールモジュールと単一電池ユニットを相互に組合せる様子の分解立体図である。
【図７】本考案の多機能コントロールモジュールと単一電池ユニットを相互に組合せる様子の分解底面視角立体図である。
【図８】本考案の多機能コントロールモジュールと複数の電池ユニットを相互に組合せる様子の立体図である。
【図９】本考案の多機能コントロールモジュールと複数の電池ユニットを相互に組合せる様子の立体図である。
【図１０】本考案の多機能コントロールモジュールと複数の電池ユニットを相互に組合せる様子の完成立体図である。
【図１１】本考案の多機能コントロールモジュールと複数の電池ユニットを相互に組合せる様子の別の視角からの完成立体図である。
【考案を実施するための形態】
【００１２】
以下に図面を参照しながら本考案を実施するための最良の形態について詳細に説明する。
【実施例】
【００１３】
本考案多機能拡充電源装置は、多機能コントロールモジュール１、及び単一或いは複数の電池ユニットにより構成する拡充電源モジュール２からなる。
【００１４】
上記した両者の特殊な組合せにより、多項の特定の使用機能を提供し、拡充バックアップ電源を任意に増減できる特性を達成する。
【００１５】
図１、３に示すように、該多機能コントロールモジュール１は、ボックス体で、そのハウジング１１内には、回路板１２を設置し、該回路板１２上には、電源管理回路１２Ａ、昇降圧転換回路１２Ｂ、充電コントロール回路１２Ｃ及びデータ管理回路１２Ｄを内蔵する。
【００１６】
該回路板１２上にはさらに、スイッチボタン１２１、作動状態インジケーターユニット１２２、電源インプットポート１２３、電源アウトプットポート１２４、円形電源インプットポート１２５、円形電源アウトプットポート１２６、ソーラーエネルギー集熱板１２７及び第一連接ポート１２８を設置する。
【００１７】
該回路板１２上にはさらに、無線伝送パーツ１２−Ａ、有線伝送パーツ１２−Ｂ、データストレージディスク１２−Ｃ、無線周波数識別パーツ１２−Ｄ、ＳＤカードパーツ１２−Ｅ、ＵＳＢ連接ポート１２−Ｆ、マイクロＵＳＢ連接ポート１２−Ｇ、ソーラーエネルギー充電パーツ１２−Ｈ及び無線充電パーツ１２−Ｉを設置する。
【００１８】
該回路板１２上のスイッチボタン１２１、作動状態インジケーターユニット１２２、電源インプットポート１２３、電源アウトプットポート１２４、円形電源インプットポート１２５、円形電源アウトプットポート１２６、ソーラーエネルギー集熱板１２７、第一連接ポート１２８、ＳＤカードパーツ１２−Ｅ及びＵＳＢ連接ポート１２−Ｆ、マイクロＵＳＢ連接ポート１２−Ｇは、該多機能コントロールモジュール１のハウジング１１外に露出する。
【００１９】
これにより、使用者は、外部から連接、押し操作、或いは目視ができ、しかも該ソーラーエネルギー集熱板１２７は、該ソーラーエネルギー充電パーツ１２−Ｈにより、該多機能コントロールモジュール１のハウジング１１正面外表上に延伸設置される。
【００２０】
該第一連接ポート１２８は、該多機能コントロールモジュール１のハウジング１１底面上に延伸設置される。
前記ハウジング１１背面上には、複数の定位孔１３を設置する。
該電源インプットポート１２３及び該」円形電源インプットポート１２５には、電源アダプター（Adapter）或いはＵＳＢ連接端子を連接し、直流電源を該多機能コントロールモジュール１にインプットすることができる。
【００２１】
前記電源アウトプットポート１２４及び該円形電源アウトプットポート１２６は、充電或いは給電の必要があるモバイルデジタルデバイスの給電端を連接し、充電或いは給電を行うことができる。
前記ＳＤカードパーツ１２−Ｅは、ＳＤカードを挿入し、或いは抜き取り、データアクセスを行うことができる。
【００２２】
前記ＵＳＢ連接ポート１２−Ｆ及び該マイクロＵＳＢ連接ポート１２−Ｇは、一般のＵＳＢ連接端子或いはマイクロＵＳＢ（Micro ＵＳＢ）連接端子を連接し、適当なデジタルプロトコル連接を行うことができる。
前記有線伝送パーツ１２−Ｂには、イーサネット(登録商標)コネクター（ＲＪ−４５）を連接し、インターネット接続を行うことができる。
【００２３】
前記電源インプットポート１２３及び該円形電源インプットポート１２５は、該充電コントロール回路１２Ｃと連接し、該充電コントロール回路１２Ｃの反対端は、該電源管理回路１２Ａ、該ソーラーエネルギー充電パーツ１２−Ｈ、該無線充電パーツ１２−Ｉと連接する。
【００２４】
前記ソーラーエネルギー充電パーツ１２−Ｈ反対端は、該ソーラーエネルギー集熱板１２７と連接し、該電源管理回路１２Ａ反対端は、該スイッチボタン１２１、該作動状態インジケーターユニット１２２、該第一連接ポート１２８及び該昇降圧転換回路１２Ｂと電気的に連接する。
【００２５】
該昇降圧転換回路１２Ｂの反対端は、該データストレージディスク１２−Ｃ、該無線周波数識別パーツ１２−Ｄ、該ＳＤカードパーツ１２−Ｅ、該ＵＳＢ連接ポート１２−Ｆ、該マイクロＵＳＢ連接ポート１２−Ｇ及び該電源アウトプットポート１２４、該円形電源アウトプットポート１２６と電気的に連接する。
【００２６】
前記データストレージディスク１２−Ｃ、該無線周波数識別パーツ１２−Ｄ、該ＳＤカードパーツ１２−Ｅ、該ＵＳＢ連接ポート１２−Ｆ、該マイクロＵＳＢ連接ポート１２−Ｇ反対端は、該データ管理回路１２Ｄと連接する。
前記無線伝送パーツ１２−Ａ及び前記有線伝送パーツ１２−Ｂは、該データ管理回路１２Ｄと電気的に連接する。
【００２７】
前記マイクロＵＳＢ連接ポート１２−Ｇ、該円形電源インプットポート１２５及び該円形電源アウトプットポート１２６の設置により、一般のマイクロＵＳＢコネクター、円形インプット／アウトプット端子に適用して使用でき、これによりその適用範囲を拡大することができる。
【００２８】
図２、４に示すように、該拡充電源モジュール２は、１個或いは１個上の単一電池ユニット３、４、５を備える。
該各単一電池ユニット３、４、５は、ボックス体で、そのハウジング３１上には、収容設置スペース３２を設置する。
【００２９】
該単一電池ユニット３内には、電池コントロールパネル３３、バッテリー３４、第二連接ポート３５及び第三連接ポート３６を含む。
該電池コントロールパネル３３は、該バッテリー３４、該第二連接ポート３５及び該第三連接ポート３６と、電気的連接を呈する。
しかも、該第二連接ポート３５は、該ハウジング３１の収容設置スペース３２に設置し、該多機能コントロールモジュール１の第一連接ポート１２８位置に対応する。
【００３０】
該第三連接ポート３６は、該ハウジング３１の収容設置スペース３２背面上に設置する。
【００３１】
単一電池ユニット３ハウジング３１の収容設置スペース３２上には、該多機能コントロールモジュール１背面定位孔１３と対応する定位ブロック３７及び係合フック３８を設置する。
同様に、該単一電池ユニット３背面の、該定位ブロック３７及び該係合フック３８に対応する位置には、複数の定位孔３９を設置する。
【００３２】
図４〜７に示すように、実施時には、該多機能コントロールモジュール１を、該単一電池ユニット３ハウジング３１の収容設置スペース３２内にスライドさせて入れる。
これにより、該多機能コントロールモジュール１背面の第一連接ポート１２８と該単一電池ユニット３上の第二連接ポート３５とは、電気的に連接する。
同時に、該多機能コントロールモジュール１の複数の定位孔１３と該単一電池ユニット３上の定位ブロック３７及び係合フック３８とを結合させる。
【００３３】
図８〜１１に示すように、実施時には、該多機能コントロールモジュール１と該単一電池ユニット３とを組合せ後、２個目の単一電池ユニット４、３個目の単一電池ユニット５等を、順番に、それと対応する単一電池ユニット内にスライドさせて入れる。
これにより、該第二連接ポート３５は、該第三連接ポート３６と対応し、電気的に連接し、係合定位される。
【００３４】
上記したように、本考案装置は、該多機能コントロールモジュール１と該拡充電源モジュール２の単一電池ユニット３或いは複数の単一電池ユニット３４５を組合せることで、該多機能コントロールモジュール１を、該単一電池ユニット３ハウジング３１の収容設置スペース３２内にスライドさせて入れる。
【００３５】
これにより、該多機能コントロールモジュール１背面の第一連接ポート１２８と該単一電池ユニット３上の第二連接ポート３５とは、電気的に連接し、及び該単一電池ユニット３上の第三連接ポート３６と、もう一つの単一電池ユニット４の第二連接ポート３５とは、電気的に連接する。
こうして、該拡充電源モジュール２は、個別の電池ユニットを任意にプラスし、或いは減らすことで、拡充給電特性を達成することができる。
【００３６】
また、該多機能コントロールモジュール１内に設置する無線伝送パーツ１２−Ａ、有線伝送パーツ１２−Ｂ、データストレージディスク１２−Ｃ、無線周波数識別パーツ１２−Ｄ、ＳＤカードパーツ１２−Ｅ、ＵＳＢ連接ポート１２−Ｆ、マイクロＵＳＢ連接ポート１２−Ｇ、ソーラーエネルギー充電パーツ１２−Ｈ及び無線充電パーツ１２−Ｉと電源管理回路１２Ａ、昇降圧転換回路１２Ｂ、充電コントロール回路１２Ｃ及びデータ管理回路１２Ｄの作動により、無線伝送、有線伝送、データ保存、無線周波数識別、ＳＤカードアクセス、ＵＳＢプロトコル連接、ソーラーエネルギー充電、無線充電等特定の多項の機能を達成することができる。
【００３７】
本考案の多機能拡充電源装置の実施時には、該多機能コントロールモジュール１の回路板１２上の、該データ管理回路１２Ｄと連接する無線伝送パーツ１２−Ａ及び有線伝送パーツ１２−Ｂは、すべて除去、どちらかを単独で保留、或いは両方とも設置とすることができる。
【００３８】
本考案の多機能拡充電源装置の実施時には、該多機能コントロールモジュール１の回路板１２上の、該昇降圧転換回路１２Ｂ及び該データ管理回路１２Ｄと連接する無線周波数識別パーツ１２−Ｄ、ＳＤカードパーツ１２−Ｅ、ＵＳＢ連接ポート１２−Ｆ及びマイクロＵＳＢ連接ポート１２−Ｇは、どれか１個を単独で設置し、或いは複数を選択して交互に設置することができる。
【００３９】
本考案の多機能拡充電源装置の実施時には、該多機能コントロールモジュール１の回路板１２上の、該充電コントロール回路１２Ｃと連接するソーラーエネルギー充電パーツ１２−Ｈ及び無線充電パーツ１２−Ｉは、すべて除去、どちらかを単独で保留、或いは両方とも設置とすることができる。
【００４０】
本考案の多機能拡充電源装置の実施時には、該多機能コントロールモジュール１の回路板１２上の、該充電コントロール回路１２Ｃと連接する電源インプットポート１２３及び円形電源インプットポート１２５は、どちらか一方を単独で保留し、或いは両方を設置することができる。
【００４１】
本考案の多機能拡充電源装置の実施時には、該多機能コントロールモジュール１の回路板１２上の、該昇降圧転換回路１２Ｂと連接する電源アウトプットポート１２４及び円形電源アウトプットポート１２６は、どちらか一方を単独で保留し、或いは両方を設置することができる。
【００４２】
上記の本考案の名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする
【産業上の利用可能性】
【００４３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４４】
１        多機能コントロールモジュール
１１      ハウジング
１２      回路板
１３      定位孔
１２Ａ    電源管理回路
１２Ｂ    昇降圧転換回路
１２Ｃ    充電コントロール回路
１２Ｄ    データ管理回路
１２−Ａ  無線伝送パーツ
１２−Ｂ  有線伝送パーツ
１２−Ｃ  データストレージディスク
１２−Ｄ  無線周波数識別パーツ
１２−Ｅ  ＳＤカードパーツ
１２−Ｆ  ＵＳＢ連接ポート
１２−Ｇ  マイクロＵＳＢ連接ポート
１２−Ｈ  ソーラーエネルギー充電パーツ
１２−Ｉ  無線充電パーツ
１２１    スイッチボタン
１２２    作動状態インジケーターユニット
１２３    電源インプットポート
１２４    電源アウトプットポート
１２５    円形電源インプットポート
１２６    円形電源アウトプットポート
１２７    ソーラーエネルギー集熱板
１２８    第一連接ポート
２        拡充電源モジュール
３        単一電池ユニット
３１      ハウジング
３２      収容設置スペース
３３      電池コントロールパネル
３４      バッテリー
３５      第二連接ポート
３６      第三連接ポート
３７      定位ブロック
３８      係合フック
３９      定位孔
４        単一電池ユニット
５        単一電池ユニット
【図１】
0003181389.tif 000003
【図２】
0003181389.tif 000004
【図３】
0003181389.tif 000005
【図４】
0003181389.tif 000006
【図５】
0003181389.tif 000007
【図６】
0003181389.tif 000008
【図７】
0003181389.tif 000009
【図８】
0003181389.tif 000010
【図９】
0003181389.tif 000011
【図１０】
0003181389.tif 000012
【図１１】
0003181389.tif 000013